(57)【要約】【目的】自分の体力を使うことなく相手に自分がいる場所を正確に知らせることが出来るような、新しい報知装置を提供する。【構成】光を発する発光部と、音を発する発音部と、その各々に電源を供給する電源回路とから成る、光と音を発する報知機としたものである。発音部から音声を発して自分の存在を知らせて注目させ、発光部から光を発して位置を教えるようにする。【選択図】      図１
2004185582.tif 000002
【特許請求の範囲】
【請求項１】
光を発する発光部と、音を発する発音部と、その各々に電源を供給する電源回路とから成る、光と音を発する報知機。
【請求項２】
前記電源回路は、発光部または発音部を択一的にＯＮ状態にする電源スイッチを備えている、請求項１に記載の光と音を発する報知機。
【請求項３】
制御装置を備え、この制御装置は発音部から音を発した後に発光部から光を発し、これを繰り返す制御を行なう、請求項１に記載の光と音を発する報知機。
【請求項４】
前記電源回路は、発光部と発音部とを同時にＯＮ状態にする電源スイッチを備えている、請求項１に記載の光と音を発する報知機。
【請求項５】
前記発光部がフラッシュランプを備える、請求項１に記載の光と音を発する報知機。
【請求項６】
前記発光部が点滅ランプを備える、請求項１に記載の光と音を発する報知機。
【請求項７】
前記発音部が音声発生機能を備える、請求項１に記載の光と音を発する報知機。
【発明の詳細な説明】
【０００１】
【発明の属する技術分野】
この発明は、特に緊急時用に設計された、光と音を発することが可能な報知機に関するものである。
【０００２】
【従来の技術】
子供や高齢者がはぐれて迷子になったりする場合がままあるが、迷子の側から自分の位置情報を保護者に伝える手段としては、ＧＰＳ付き携帯電話が用いられるように成って来た。他方で登山中に動けなくなったり倒壊した建物の中に取り残された場合などでは、救助を待つ間に自分の位置を正確に知らせなくては成らないが、単に救助を要請する声を上げるだけでは、体力勝負のようなことになりかねない。他方で携帯用ライトを救助隊の方に向けて発光させることも行なわれるが、目線がこちらを向いていない限り発見されるのは難しい。
【０００３】
【発明が解決しようとする課題】
上述したようなＧＰＳ付き携帯電話を用いる場合では、対応する携帯電話機の値段が高かったりサービスの月々の使用料が高いと言った問題がある。また遭難の場合のように救助隊に自分の居場所を一刻も早く知らせないと命取りに成るような場合では、それを可能にする適当な装置がなかったり、声を上げても届かなかったり、声はすれども正確な位置が救助隊には掴めない、などと言った問題が生ずる。
【０００４】
そこでこの発明は上述したような問題を解決して、自分の体力を使うことなく相手に自分がいる場所を正確に知らせることが出来るような、新しい報知装置の提供を課題とする。
【０００５】
【課題を解決するための手段及び作用】
上記の課題は、光を発する発光部と、音を発する発音部と、その各々に電源を供給する電源回路とから成る、光と音を発する報知機とすることによって達成される。なお当然のことながら携帯に便利な大きさとしたり長時間の使用に耐える電源を搭載することが望まれる。
【０００６】
単に光を発しただけでは気付かれにくく、また単に音声を発しただけでも位置が分かりにくいと言う現実がある。しかしながらこの発明のように、発音部から音声を発し発光部から光を発するのであるから、随分と気付かれやすく成るのである。すなわち発音部から音声を発して自分の存在を知らせて注目させ、発光部から光を発して位置を教えるようにすると効果的である。また一度で見つからなくても、音を発し光を発すると言うことを繰り返していれば、必ずや発見が早まる。
【０００７】
またこの発明の於いて、前記電源回路が、発光部または発音部を択一的にＯＮ状態にする電源スイッチを備えているものとすることが出来る。この発明によれば、いま必要なのは音であるのか光であるのかの適切な選択を手動で行ない得ると言う利点がある。また一時にはどちらか一方のみを利用することに成るから、電源の節約に有利である。
【０００８】
また制御装置を備えて、この制御装置は発音部から音を発した後に発光部から光を発し、これを繰り返す制御を行なうものとすることが出来る。これは発光部または発音部を択一的にＯＮ状態にする順序と、これを自動化することとを重要視したものであり、まず発音部から音声を発して注目させ、どこにいるかと探す者に対して発光部から光を発して知らせる一連の動作を、自動で繰り返して行なわせるのである。従って迷子に成った者や遭難した者は、必要に応じて電源スイッチを入れさえすれば、後は気を使うことなく自動的に報知装置が所定の動作を繰り返してくれる。
【０００９】
また前記電源回路が、発光部と発音部とを同時にＯＮ状態にする電源スイッチを備えているものとすることが出来る。いよいよと成ったなら音を発することと光を発することとを同時に行なうべき時もある。このような場合に、この機能は有効である。
【００１０】
また前記発光部がフラッシュランプを備えるものとすることが出来る。ピカッと強く明かるく光るフラッシュランプを用いることによって、瞬間的に発見される可能性を高めることが可能である。
【００１１】
また前記発光部が点滅ランプを備えるものとすることが出来る。光の点滅と言うものは、光放しよりも注目を引く場合が多い。従ってこのような点滅ランプを備えることで発見される可能性を高めることが可能である。また電源の節約のためにも有利である。
【００１２】
また前記発音部が音声発生機能を備えるものとすることが出来る。単なる音ではなくて声を発することが出来れば、人にとっては意味のあることであるから、注目度がより高まる。なおどのような言葉を発するかに付いて、これをプログラマブルな機能として付属させても良い。
【００１３】
【発明の実施の形態】
以下この発明の実施の形態に付き図面を参照しながら説明するが、この発明はこれ等の実施形態にのみ限定されるものではない。
【００１４】
第１実施形態
この実施形態の報知装置は図１乃至図４で表わしたように、ケーシング１の先端部に取り付けた発光部３と、側面部に取り付けた発音部２とから成るものである。ケーシング１にはその後端部に紐通し１０が設けられており、首からぶら下げるためのストラップ等を通しておくことが出来るように成っている。符号４は後述するスイッチ４であり、ケーシング１の側面部に開孔されたスリットからは内部の圧電スピーカ２０を見ることが出来る。またケーシング１の先端部に取り付けた透明カバー１１からは、背後のリフレクタ１２とその前側に並べて設けた２つのＬＥＤ（Ｌｉｇｈｔ  Ｅｍｉｔｔｉｎｇ  Ｄｉｏｄｅ）ライト３０を見ることが出来る。
【００１５】
この報知装置をブロック図で表わしたものが図３であるが、電源部５から発音部２へはスイッチ４０を介して配線され、また発光部３へはスイッチ４１を介して配線されている。なおスイッチ４０とスイッチ４１とで３接点２回路スイッチを構成しており、中間の接点は発音部２も発光部３も共にＯＦＦに出来る部位となっている。上記２つのＬＥＤライト３０，３０は高輝度点滅ＬＥＤであり、この部位の配線図のみ図４で示した。なお符号５０は電源部５に用いられた乾電池を指す。
【００１６】
さて、この動作状態を図３を用いて説明する。図３では電源部５と発音部２側とがスイッチ４０にて接続状態となっており、発音部２から報知音が発せられている。次にスイッチ４０を反対側に入れると、今度は電源部５と発光部３側とがスイッチ４１にて接続状態となり発光する。これはスイッチ４０と４１とが２回路型であって連動するものだからである。なおスイッチが３接点の中間位置にある時には、発音部２側も発光部３側も共にＯＦＦ状態と成る。報知音はよく響く大きな音量のものであるが、痴漢防止具なるものが発するようなけたたましいものにする必要は必ずしもない。ＬＥＤライト３０は高輝度点滅ＬＥＤであって、ＯＮ状態に成ると制御回路がなくともこれだけで自動的に点滅を開始するように成っている。
【００１７】
第２実施形態
この実施形態の報知装置は図５および図６で表わしたように、制御部６が発音部２と発光部３の動作を制御するように構成されている。即ち電源部５と発音部２及び発光部３との間に制御部６を介在させた成る。
【００１８】
前記制御部６は、図６で表わされるような制御を発音部２と発光部３とに対して行なう。発音部２から音を発した後、一息の休止を置いて、発光部３から光を発し、また休止を置いてから発音させ、これを電源がＯＮ状態の間は繰り返して行なう。なお図示していないが、発光部３のＯＮ状態に於いては２つのライトを交互に点滅させるように制御している。なお図示していないが、制御部６は必要に応じて光と音を同時に発することが出来る設計と成っている。この場合は当然のことながら光と音とが「同時ＯＮ状態」を選択するための電源スイッチを備えている。
【００１９】
第３実施形態
この実施形態の報知装置の発光部を図７で表わす。ライトには閃光発光管である小型のＸｅ管（クセノン球）３１を用いている。この実施形態の制御回路６０は発振昇圧回路５１により高電圧を作り出し、分圧回路５２を用いて所要の電圧を取り出し、トリガ回路５３をスイッチとしてＸｅ管３１を発光させる。
【００２０】
Ｘｅ管３１は特に強力な光を瞬間的に発光することが出来るため、音声で注意を引いておいてからＸｅ管３１をフラッシュさせるようにすれば、より発見されやすいものと成る。
【００２１】
第４実施形態
この実施形態の報知装置の発音部を図８で表わす。制御回路６１は音声メモリ２１と音声合成回路２２とによって人間の声を人工的に合成して、この声を音声合成回路２２に繋いだスピーカ２３より発する。また制御回路６１は携帯電話７に接続されており、この携帯電話７を用いて、これに接続している音声合成回路２２からの声を所定の電話番号に対して発信通報する。符号７０は携帯電話７のアンテナを指す。
【００２２】
したがってこの実施形態の報知機は、音声合成回路２２により人間の声で報知することが出来、更には設定によって意味ある言葉を発することが出来るので、迷子に成った者や遭難した者は自ら声を出さなくて済むように成る。これにより意味ある言葉で居場所を告げることが出来、体力の消耗も防げる。なお携帯電話７からヘルプメッセージを所定の電話番号に掛けて送信することが出来る。これによりたとえ声が出せないような状況でも迷子になったり遭難したことを逸早く管理者に報知することが可能に成る。
【００２３】
なおこの発明は、上述した実施形態に限定されないから、例えば発光部の発光パターンや発音部の発音パターンの設定は任意であり、クリップ等を設けて周辺の建物や木に取り付けられるようにしたり、アンテナ様の操作杆を取り付けて、この操作杆を操って瓦礫の隙間から外方向へ出せるような設計にすることも可能である。
【００２４】
【発明の効果】
以上この発明は、光を発する発光部と、音を発する発音部と、その各々に電源を供給する電源回路とから成る、光と音を発する報知機としたものである。
【００２５】
この結果、自分の体力を使うことなく相手に自分がいる場所を正確に知らせることが出来るように成り、発見される可能性をより一段と高めている。
【図面の簡単な説明】
【図１】第１実施形態の側面図である。
【図２】同実施形態の正面図である。
【図３】同実施形態のブロック図である。
【図４】同実施形態の発光部の配線図である。
【図５】第２実施形態のブロック図である。
【図６】同実施形態の動作状態説明図である。
【図７】第３実施形態のブロック図である。
【図８】第４実施形態のブロック図である。
【符号の説明】
１    ケーシング
１０  紐通し
１１  透明カバー
１２  リフレクタ
２    発音部
２０  圧電スピーカ
２１  音声メモリ
２２  音声合成回路
２３  スピーカ
３    発光部
３０  ＬＥＤライト
３１  Ｘｅ管
４    スイッチ
４０  スイッチ
４１  スイッチ
５    電源部
５０  乾電池
５１  発振昇圧回路
５２  分圧回路
５３  トリガ回路
６    制御部
６０  制御回路
６１  制御回路
７    携帯電話
７０  アンテナ
【図１】
2004185582.tif 000003
【図２】
2004185582.tif 000004
【図３】
2004185582.tif 000005
【図４】
2004185582.tif 000006
【図５】
2004185582.tif 000007
【図６】
2004185582.tif 000008
【図７】
2004185582.tif 000009
【図８】
2004185582.tif 000010